(57)【要約】  本開示の一実施の形態に係るリクエスト処理装置は、選択部と、出力部とを備えている。選択部は、イベントの開催中の撮影により得られた複数の写真データの中から、イベントの開催前または開催中に受け付けたリクエストに合致する１または複数の写真データを選択する。出力部は、選択部で選択した１または複数の写真データを出力する。
2018083871.tif 000002
【特許請求の範囲】
【請求項１】
イベントの開催中の撮影により得られた複数の写真データの中から、前記イベントの開催前または開催中に受け付けたリクエストに合致する１または複数の前記写真データを選択する選択部と、
前記選択部によって選択された１または複数の前記写真データを出力する出力部と
を備えた
リクエスト処理装置。
【請求項２】
前記イベントの開催前または開催中に受け付けたリクエストと、前記イベントの開催中の撮影により得られた複数の前記写真データに関するデータリストとの対比を行う対比部をさらに備え、
前記選択部は、前記対比部での前記対比が行われることにより見つけられた、前記リクエストに合致する１または複数の前記写真データを、前記イベントの開催中の撮影により得られた複数の写真データの中から選択する
請求項１に記載のリクエスト処理装置。
【請求項３】
前記選択部は、前記リクエストに合致する１または複数の前記写真データを、前記イベントの開催中の撮影により得られた複数の前記写真データを記憶する記憶部から読み出すことにより、前記リクエストに合致する１または複数の前記写真データの選択を行う
請求項２に記載のリクエスト処理装置。
【請求項４】
前記出力部は、前記選択部によって選択された１または複数の前記写真データの印刷を指示する
請求項１に記載のリクエスト処理装置。
【請求項５】
イベントの開催中の撮影により得られる予定の１または複数の写真データに関するリクエストを、前記イベントの開催前または開催中に受け付ける受付部と、
前記イベントの開催中の撮影により得られた複数の前記写真データの中から、前記受付部で受け付けた前記リクエストに合致する１または複数の前記写真データを選択する外部機器に、前記受付部で受け付けた前記リクエストを送信する送信部と
を備えた
リクエスト受付装置。
【請求項６】
前記外部機器によって選択された１または複数の前記写真データを受信する受信部をさらに備えた
請求項５に記載のリクエスト受付装置。
【請求項７】
前記外部機器によって選択された１または複数の前記写真データについての情報を受信する受信部をさらに備えた
請求項５に記載のリクエスト受付装置。
【請求項８】
前記送信部は、前記受信部で受信した１または複数の前記写真データに基づいて選択された少なくとも１つの前記写真データについての情報を前記外部機器に送信する
請求項６に記載のリクエスト受付装置。
【請求項９】
前記送信部は、前記受信部で受信した１または複数の前記写真データについての前記情報に基づいて選択された少なくとも１つの前記写真データについての情報を前記外部機器に送信する
請求項７に記載のリクエスト受付装置。
【発明の詳細な説明】
【技術分野】
【０００１】
本開示は、リクエスト処理装置およびリクエスト受付装置に関する。
【背景技術】
【０００２】
ライブ会場やアミューズメントパークなどのイベント会場では、来場者は、来場の思い出として写真プリントやグッズを買うことがある。イベント会場で撮影されたオリジナリティ溢れる写真のプリントやそのような写真が印刷されたグッズを手に入れることができれば、来場者は、イベントでのドキドキ感や楽しい思い出を、写真プリントやグッズに残すことができる（例えば、非特許文献１参照）。
【先行技術文献】
【非特許文献】
【０００３】
【非特許文献１】http://guide.usj.co.jp/ja/shop/pc/j#shoplist#photo.do
【発明の概要】
【０００４】
しかし、イベント会場では、あらかじめ決められた場所で撮影された写真プリントしか手に入らなかったり、来場者が望む場所やシチュエーションで、イベント会場内のフォトクルーに出会うことが難しかったりする。そのため、来場者が、本当に欲しいと思う写真のプリントもしくはデータや、そのような写真が印刷されたグッズを手に入れることは容易ではなかった。来場者が、本当に欲しいと思う写真のプリントもしくはデータや、そのような写真が印刷されたグッズを容易に手に入れることを可能にするリクエスト処理装置およびリクエスト受付装置を提供することが望ましい。
【０００５】
本開示の一実施形態に係るリクエスト処理装置は、選択部と、出力部とを備えている。選択部は、イベントの開催中の撮影により得られた複数の写真データの中から、イベントの開催前または開催中に受け付けたリクエストに合致する１または複数の写真データを選択する。出力部は、選択部で選択した１または複数の写真データを出力する。
【０００６】
本開示の一実施形態に係るリクエスト処理装置では、イベントの開催中の撮影により得られた複数の写真データの中から、イベントの開催前または開催中に受け付けたリクエストに合致する１または複数の写真データが選択される。これにより、リクエストに応じた所望の写真データを得ることが可能となる。
【０００７】
本開示の一実施形態に係るリクエスト受付装置は、受付部と、送信部とを備えている。受付部は、イベントの開催中の撮影により得られる予定の１または複数の写真データに関するリクエストを、イベントの開催前または開催中に受け付ける。送信部は、イベントの開催中の撮影により得られた複数の写真データの中から、受付部で受け付けたリクエストに合致する１または複数の写真データを選択する外部機器に、受付部で受け付けたリクエストを送信する。
【０００８】
本開示の一実施形態に係るリクエスト受付装置では、イベントの開催中の撮影により得られる予定の１または複数の写真データに関するリクエストが、イベントの開催前または開催中に受け付けら、外部機器に送信される。これにより、リクエストに応じた所望の写真データを得ることが可能となる。
【０００９】
本開示の一実施形態に係るリクエスト処理装置およびリクエスト受付装置によれば、リクエストに応じた所望の写真データを得ることが可能となるようにしたので、来場者が、本当に欲しいと思う写真や、そのような写真が印刷されたグッズを容易に手に入れることが可能になる。なお、本開示の効果は、ここに記載された効果に必ずしも限定されず、本明細書中に記載されたいずれの効果であってもよい。
【図面の簡単な説明】
【００１０】
【図１】本開示の第１の実施の形態に係るリクエスト処理システムの概略構成例を表す図である。
【図２】印刷シートの斜視構成例を表す図である。
【図３】マグカップの斜視構成例を表す図である。
【図４】情報記録層の断面構成例を表す図である。
【図５】図１のデータサーバ装置の機能ブロック例を表す図である。
【図６】図５のデータベースの構成例を表す図である。
【図７】図５のデータリストの構成例を表す図である。
【図８】図５のデータリストの構成例を表す図である。
【図９】図５のデータリストの概略構成例を表す図である。
【図１０】図１の印刷装置の機能ブロック例を表す図である。
【図１１】図１のウェブサーバ装置の機能ブロック例を表す図である。
【図１２】図１の端末装置の機能ブロック例を表す図である。
【図１３】図１のリクエスト処理システムの処理手順の一例を表す図である。
【図１４】図１のリクエスト処理システムの処理手順の一変形例を表す図である。
【図１５】本開示の第２の実施の形態に係るリクエスト処理システムの概略構成例を表す図である。
【図１６】図１５のリクエスト処理システムの処理手順の一例を表す図である。
【図１７】図１５のリクエスト処理システムの処理手順の一変形例を表す図である。
【図１８】図１のリクエスト処理システムの概略構成の一変形例を表す図である。
【図１９】図１５のリクエスト処理システムの概略構成の一変形例を表す図である。
【図２０】図１８、図１９の端末装置の機能ブロック例を表す図である。
【発明を実施するための形態】
【００１１】
以下、本開示を実施するための形態について、図面を参照して詳細に説明する。以下の説明は本開示の一具体例であって、本開示は以下の態様に限定されるものではない。なお、説明は以下の順序で行う。
１．第１の実施の形態
ユーザによって予めリクエストされた写真を印刷する例
２．第１の実施の形態の変形例
印刷前に、印刷する写真をユーザに確認させる例
３．第２の実施の形態
リクエストされた写真のデータが端末装置に送信される例
４．第２の実施の形態の変形例
正式発注前に、発注する写真のデータをユーザに確認させる例
５．各実施の形態およびそれらの変形例に共通する変形例
端末装置のカメラが利用される例
【００１２】
＜１．第１の実施の形態＞
[構成]
本開示の第１の実施の形態に係るリクエスト処理システム１について説明する。図１は、本実施の形態に係るリクエスト処理システム１の概略構成例を表したものである。リクエスト処理システム１は、イベントの開催前または開催中にユーザからリクエストを受け付け、受け付けたリクエストの内容に合致する写真データを用いて写真プリントやグッズを製作するシステムである。イベントは、例えば、ライブ会場、アミューズメントパーク、結婚式場などのイベント会場で行われるイベントを指している。リクエストは、商品注文におけるユーザの要望についての情報を含んでいる。グッズとは、例えば、特定のイベントにちなんで用意された雑貨類を指す。
【００１３】
写真プリントは、例えば、図２に示したような印刷シート７００の印刷面７１０に対して印刷処理を行うことにより製作される。グッズは、例えば、図３に示したようなマグカップ８００の周面にある印刷面８１０に対して印刷処理を行うことにより製作される。グッズは、例えば、マグカップ８００の代わりに、例えば、ウチワやカレンダーに設けられた印刷面（印刷面８１０に相当する面）に対して印刷処理を行うことにより製作されたものであってもよい。印刷面８１０は、例えば、図４に示したような情報記録層９００を有している。
【００１４】
情報記録層９００は、様々な情報が視認可能に記録されるものである。情報記録層９００は、例えば、基体９１０と、記録層９２０，９４０，９６０と、断熱層９３０，９５０と、保護層９７０とを有している。記録層９２０、断熱層９３０、記録層９４０、断熱層９５０、記録層９６０、保護層９７０は、基体９１０の表面に、この順に形成されている。
【００１５】
基体９１０は、その表面に各層を形成するための基板として機能するものである。基体９１０は光を透過するものであってもよいし、光を透過しないものであってもよい。光を透過しない場合には、基体９１０の表面の色は、例えば白色であってもよいし、白色以外の色であってもよい。
【００１６】
記録層９２０，９４０，９６０は、発色状態と消色状態との間で可逆的に状態を変化させることができるものである。記録層９２０，９４０，９６０は、発色状態における色が互いに異なる色になるように構成されている。具体的には、この例では、記録層９２０は、マゼンタ色に発色可能であり、記録層９４０は、シアン色に発色可能であり、記録層９６０は、黄色に発色可能である。なお、記録層９２０，９４０，９６０は、上記の例に限定されるものではなく、３つの記録層９２０，９４０，９６０と３色（マゼンタ色、シアン色、黄色）とがどのように対応していてもよい。また、記録層９２０，９４０，９６０は、消色状態では透明になる。これにより、情報記録層９００は、広い色域の色を用いて、情報を記録することができるようになっている。
【００１７】
記録層９２０，９４０，９６０のそれぞれは、例えば、ロイコ染料を含んで構成されている。この場合、記録層９２０，９４０，９６０のそれぞれは、例えば、ロイコ染料に加え、顕色剤と、光熱変換材料と、ポリマーとを含んで構成されている。ロイコ染料は、熱により顕色剤と結合して発色状態になり、あるいは顕色剤と分離して消色状態になるものである。３つの記録層９２０，９４０，９６０のロイコ染料は、発色状態における色が互いに異なるものである。光熱変換材料は、赤外光を吸収して熱を発するものである。３つの記録層９２０，９４０，９６０の光熱変換材料は、吸収する赤外光の波長が互いに異なるものである。
【００１８】
断熱層９３０は、記録層９２０と記録層９４０との間で互いに熱が伝わりにくくするためのものである。断熱層９５０は、記録層９４０と記録層９６０との間で互いに熱が伝わりにくくするためのものである。保護層９７０は、情報記録層９００の表面を保護するためのものである。断熱層９３０，９５０および保護層９７０は、透明な材料を用いて構成されている。
【００１９】
上記の構成により、印刷シート７００やマグカップ８００には、様々な情報を視認可能に記録することができる。具体的には、情報記録層９００に情報（文字や図形）を記録する場合には、その文字パターンや図形パターンに基づいて赤外光が情報記録層９００に照射される。この赤外光の波長は、記録したい文字や図形の色に応じた波長に設定される。記録層９２０，９４０，９６０のそれぞれでは、光熱変換材料が、その光熱変換材料に対応する波長の赤外光を吸収して熱を発する。そして、その光熱変換材料により生じた熱により、ロイコ染料が顕色剤と結合して発色状態になり、あるいは顕色剤と分離して消色状態になる。このようにして、印刷シート７００やマグカップ８００には、様々な情報が視認可能に記録される。また、印刷シート７００やマグカップ８００では、この視認可能に記録された情報を書き換えることもできるようになっている。
【００２０】
なお、リクエスト処理システム１は、情報記録層９００の設けられていない印刷シートやグッズの印刷面に対して、インクを塗布することによる印刷処理を行うことにより、写真プリントまたはグッズの製作を行うようになっていてもよい。
【００２１】
リクエスト処理システム１は、例えば、１または複数の撮像装置２００、データサーバ装置３００、印刷装置４００、ウェブサーバ装置５００および１または複数の端末装置６００を備えている。１または複数の撮像装置２００、データサーバ装置３００、印刷装置４００、ウェブサーバ装置５００および１または複数の端末装置６００は、ネットワーク１００を介して相互に接続される。ネットワーク１００は、例えば、インターネットで標準的に利用されている通信プロトコル（ＴＣＰ／ＩＰ）を用いて通信を行うネットワークである。ネットワーク１００は、例えば、そのネットワーク独自の通信プロトコルを用いて通信を行うセキュアなネットワークであってもよい。ネットワーク１００は、例えば、インターネット、イントラネット、または、ローカルエリアネットワークである。ネットワーク１００と、１または複数の撮像装置２００、データサーバ装置３００、印刷装置４００、ウェブサーバ装置５００または１または複数の端末装置６００との接続は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００２２】
１または複数の撮像装置２００は、例えば、イベント会場内の所定の位置に配置されたフォトクルー（撮影者）、または、無線操縦されるマルチコプター式の無人航空機などによって保持されている。「イベント会場内の所定の位置」としては、例えば、舞台裏などの、主催者しか立ち入れない場所や、イベント会場の上空などが挙げられる。各撮像装置２００は、撮像により得られた写真データ２１０を、ネットワーク１００を介してデータサーバ装置３００に出力する。
【００２３】
（データサーバ装置３００）
図５は、データサーバ装置３００の概略構成例を表したものである。データサーバ装置３００は、例えば、データリスト３１２，３１３を記憶している。データリスト３１２，３１３は、例えば、１または複数の撮像装置２００で得られた各写真データ２１０の撮影場所や、各写真データ２１０に含まれる被写体、各写真データ２１０の撮影時の状況などを分析するためのデータリストである。
【００２４】
データサーバ装置３００は、例えば、記憶部３１０、通信部３２０および制御部３３０を有している。制御部３３０は、通信部３２０を介して外部から入力された情報を処理したり、記憶部３１０から読み出した情報を、通信部３２０を介して外部に出力したりする。通信部３２０は、ネットワーク１００を介して、他の機器と通信を行う。
【００２５】
記憶部３１０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。記憶部３１０には、例えば、１または複数の撮像装置２００から入力された複数の写真データ２１０が記憶される。各写真データ２１０は、例えば、画像データと、画像データに付加された付加情報およびファイル名とを含んでいる。この付加情報には、例えば、撮影日および撮影時刻などが含まれている。記憶部３１０には、さらに、例えば、１または複数の端末装置６００から入力された複数のリクエストデータ６１１が記憶される。記憶部３１０は、例えば、図５に示したように、検索や蓄積が容易にできるよう整理されたデータベース３１４を有している。複数のリクエストデータ６１１は、例えば、データベース３１４に格納される。
【００２６】
図６は、データベース３１４の構成例を表したものである。図６には、イベントが２名のアーティスト（Ａ君およびＢ君）からなるグループによるライブであるときのデータベース３１４の構成例が示されている。以下では、データベース３１４が図６に示した構成となっているものとして説明する。なお、データベース３１４は、図６に示した構成に限定されるものではない。
【００２７】
各リクエストデータ６１１には、例えば、個々のリクエストデータ６１１を識別するためのリクエストＩＤ（Identification）が付加される。各リクエストデータ６１１は、商品注文におけるユーザの要望についての情報を含んでいる。従って、リクエスト処理システム１は、ユーザからのリクエストデータ６１１の受け付けを、商品注文として扱うことができる。このとき、リクエストデータ６１１は、注文としての側面を有している。各リクエストデータ６１１は、例えば、商品形態と、撮影場所と、被写体と、曲番および曲名の少なくとも一方とを含んでいる。商品形態は、写真データ２１０をどのような形態で商品化するかを示す情報であり、例えば、写真またはグッズなどの情報を含んでいる。グッズとしては、例えば、マグカップまたはウチワなどが挙げられる。撮影場所は、写真データ２１０の撮影場所であり、例えば、イベント会場における特定の場所を示す情報を含んでいる。被写体は、写真データ２１０に写り込んでいる被写体についての情報であり、例えば、アーティストの名前（Ａ君、Ｂ君または全員）を含んでいる。曲番は、ライブで演奏される曲の順番である。曲名は、ライブで演奏される曲のタイトルである。
【００２８】
記憶部３１０には、さらに、例えば、データリスト３１１が記憶される。データリスト３１１は、イベントの開催中の、１または複数の撮像装置２００による撮影により得られた複数の写真データ２１０に関するデータリストである。データリスト３１１は、例えば、図７に示したように、イベントの開催中の、１または複数の撮像装置２００による撮影により得られた個々の写真データ２１０を識別するための写真ＩＤを含んでいる。データリスト３１１は、さらに、例えば、図７に示したように、写真ＩＤごとに割り当てられた写真データ２１０のファイル名および撮影時刻を含んでいる。
【００２９】
データリスト３１１に含まれるファイル名は、写真データ２１０から読み出されたファイル名である。写真データ２１０に含まれるファイル名は、例えば、撮像装置２００ごとに割り当てられた固有の記号を含んでいる。例えば、写真データ２１０に含まれるファイル名において、ファイル名の先頭が、撮像装置２００ごとに割り当てられた固有の記号となっている。ファイル名に含まれる固有の記号は、そのファイル名が含まれる写真データ２１０を生成した撮像装置２００の固有の記号に対応している。データリスト３１１に含まれる撮影時刻は、写真データ２１０が生成された時刻についての情報であり、具体的には、写真データ２１０から読み出された撮影時刻である。
【００３０】
記憶部３１０は、例えば、あらかじめ、データリスト３１２，３１３を記憶している。データリスト３１２は、例えば、図８に示したように、複数のファイル名と、ファイル名ごとに関連付けられた撮影場所および被写体についての情報とを含んでいる。データリスト３１２に含まれる各ファイル名は、例えば、各写真データ２１０に含まれるファイル名の先頭についての情報を含んでいる。撮像装置２００ごとに、撮影場所や被写体が決められている場合であっても、かつ、写真データ２１０のファイル名の先頭が、撮像装置２００ごとに付与された固有の記号となっている場合には、写真データ２１０のファイル名の先頭についての情報から、写真データ２１０の撮影場所と、写真データ２１０に写り込んでいる被写体が一義的に特定される。
【００３１】
データリスト３１３は、例えば、図９に示したように、時間帯と、時間帯ごとに関連付けられた曲番および曲名についての情報とを含んでいる。データリスト３１３に含まれる各時間帯は、例えば、ライブにおいて曲ごとに割り当てられた時間帯についての情報である。データリスト３１３に含まれる曲番は、ライブにおいて演奏される曲の順番についての情報である。データリスト３１３に含まれる曲名は、ライブにおいて演奏される曲のタイトルについての情報である。
【００３２】
（印刷装置４００）
印刷装置４００は、データサーバ装置３００から入力された信号に基づいて、印刷処理を行う。印刷装置４００は、例えば、情報記録層９００を有する印刷シート７００もしくはマグカップ８００の印刷面８１０に対する印刷処理を行う。印刷装置４００は、例えば、情報記録層９００を有しないものの印刷面に対して、インクを塗布することによる印刷処理を行うようになっていてもよい。
【００３３】
図１０は、印刷装置４００の概略構成例を表したものである。印刷装置４００は、例えば、印刷部４１０、記憶部４２０、通信部４３０および制御部４４０を有している。制御部４４０は、プロセッサを含んで構成されている。制御部４４０は、例えば、通信部４３０を介して外部から入力された情報（印刷データ）を印刷部４１０に出力する。制御部４４０は、さらに、例えば、通信部４３０を介して外部から入力された情報（印刷データ）を記憶部４２０に記憶させる。通信部４３０は、ネットワーク１００を介して、他の機器と通信を行う。印刷部４１０は、例えば、制御部４４０から入力された印刷データに基づいて、印刷処理を行う。印刷部４１０における印刷処理としては、例えば、ロイコ染料を含む情報記録層９００に対してレーザを照射する処理や、印刷面に対してインクを塗布する処理が挙げられる。なお、通信部４３０を介して外部から入力された情報が、印刷データに変換されていない場合には、制御部４４０は、例えば、通信部４３０を介して外部から入力された情報を、印刷データに変換し、印刷部４１０に出力する。
【００３４】
（ウェブサーバ装置５００）
図１１は、ウェブサーバ装置５００の概略構成例を表したものである。ウェブサーバ装置５００は、端末装置６００におけるユーザインターフェースを提供するとともに、受け付けたリクエストデータ６１１に対する結果を演算する。ウェブサーバ装置５００は、例えば、記憶部５１０、通信部５２０および制御部５３０を有している。ウェブサーバ装置５００は、本技術の「リクエスト処理装置」「外部機器」の一具体例に対応する。
【００３５】
通信部５２０は、ネットワーク１００を介して、リクエスト処理システム１内の他の装置（データサーバ装置３００等）と通信を行う。記憶部５１０は、例えば、不揮発性メモリによって構成されており、例えば、ＥＥＰＲＯＭ、フラッシュメモリ、抵抗変化型メモリなどによって構成されている。記憶部５１０は、制御部５３０によって実行されるプログラム（例えば、ウェブサーバプログラム５１１や、ウェブアプリケーションプログラム５１２）などを記憶している。ウェブアプリケーションプログラム５１２は、ネットワーク１００を介して使用するアプリケーションプログラムである。ウェブアプリケーションプログラム５１２は、ウェブサーバプログラム５１１と後述のウェブブラウザプログラム６１２とが協調することによって動作する。制御部５３０は、プロセッサを含んで構成されており、例えば、記憶部５１０に記憶されたウェブサーバプログラム５１１や、ウェブアプリケーションプログラム５１２などを実行する。制御部５３０の機能は、例えば、制御部５３０によって、ウェブサーバプログラム５１１やウェブアプリケーションプログラム５１２が実行されることによって実現される。
【００３６】
具体的には、制御部５３０は、イベントの開催前または開催中に、リクエストデータ６１１を、端末装置６００および通信部５２０を介して受け付ける。リクエストデータ６１１は、ユーザによって端末装置６００に入力された情報である。制御部５３０は、リクエストデータ６１１を受け付けると、リクエストデータ６１１を、通信部６２０を介して記憶部３１０のデータベース３１４に格納する。制御部５３０は、リクエストデータ６１１を受け付けると、さらに、データサーバ装置３００からデータリスト３１１，３１２，３１３を読み出す。制御部５３０は、例えば、リクエストデータ６１１を受け付けた後の所定のタイミングに、データサーバ装置３００からデータリスト３１１，３１２，３１３を読み出す。「所定のタイミング」は、例えば、イベント終了時、または、ユーザによって指定されたタイミングである。
【００３７】
制御部５３０は、イベントの開催中の撮影により得られた複数の写真データ２１０の中から、イベントの開催前または開催中に受け付けたリクエストデータ６１１に合致する１または複数の写真データ２１０を選択する。具体的には、制御部５３０は、イベントの開催前または開催中に受け付けたリクエストデータ６１１と、イベントの開催中の撮影により得られた複数の写真データ２１０に関するデータリスト３１１，３１２，３１３との対比を行う。制御部５３０は、例えば、リクエストデータ６１１に含まれる情報（例えば、撮影場所、被写体、曲番、曲名など）と、データリスト３１１に含まれる各ファイル名と関連付けられた情報（例えば、撮影場所、被写体、曲番、曲名など）とを対比する。制御部５３０は、例えば、対比が行われることにより見つけられた、リクエストデータ６１１に合致する１または複数の写真データ２１０を、データサーバ装置３００の記憶部３１０から読み出す。制御部５３０は、例えば、リクエストデータ６１１に合致する１または複数の写真データ２１０を、データサーバ装置３００の記憶部３１０から読み出すことにより、リクエストデータ６１１に合致する１または複数の写真データ２１０の選択を行う。
【００３８】
制御部５３０は、例えば、読み出した１または複数の写真データ２１０を印刷データに変換し、変換により得られた印刷データを、通信部５２０を介して印刷装置４００に出力する。印刷データは、印刷装置４００によって理解可能なスクリプトで記述されたデータである。印刷装置４００が、外部から入力された情報を印刷データに変換する機能を有している場合には、制御部５３０は、読み出した１または複数の写真データ２１０を印刷データに変換せずに、通信部５２０を介して印刷装置４００に出力してもよい。
【００３９】
（端末装置６００）
図１２は、端末装置６００の概略構成例を表したものである。端末装置６００は、本技術の「リクエスト受付装置」の一具体例に対応する。
【００４０】
端末装置６００は、例えば、記憶部６１０、通信部６２０、受付部６３０、表示部６４０および制御部６５０を有している。表示部６４０は、例えば、液晶パネルや有機ＥＬパネルなどで構成されている。受付部６３０は、端末装置６００におけるユーザインターフェースであり、例えば、表示部６４０の表示面に表示されるＧＵＩ（グラフィカルユーザインターフェース）である。記憶部６１０は、制御部６５０によって実行されるプログラム（例えば、ウェブブラウザプログラム６１２や、オペレーティングシステム）などを記憶している。記憶部６１０には、例えば、リクエストデータ６１１が記憶される。
【００４１】
制御部６５０は、プロセッサを含んで構成されており、記憶部６１０に記憶されたウェブブラウザプログラム６１２や、オペレーティングシステムなどを実行する。通信部６２０は、ネットワーク１００を介して、リクエスト処理システム１内の他の装置（ウェブサーバ装置５００等）と通信を行う。端末装置６００におけるユーザインターフェース（受付部６３０）は、例えば、ウェブサーバ装置５００から取得したアプリケーション（例えばｈｔｍｌデータ）をウェブブラウザプログラム６１２で処理することにより実現される。
【００４２】
制御部６５０は、イベントの開催前または開催中に、ユーザからの入力を受け付ける。具体的には、制御部６５０は、イベントの開催前または開催中に、イベントの開催中の撮影により得られる予定の１または複数の写真データ２１０に関するリクエストデータ６１１を受け付ける。制御部６５０は、例えば、リクエストデータ６１１を受け付ける際に、商品形態、撮影場所、被写体、曲番および曲名ごとに、選択肢としてのリストを提示（表示）させるための映像信号を生成し、表示部６４０に出力してもよい。以下、このときの映像信号を、「リスト提示用の映像信号」と称する。このとき、表示部６４０は、制御部６５０から入力されたリスト提示用の映像信号に基づいて、商品形態、撮影場所、被写体、曲番および曲名ごとに、選択肢としてのリストを提示（表示）することができる。これにより、制御部６５０は、ユーザに対して、リクエストデータ６１１の入力を促すことができる。また、制御部６５０が、リスト提示用の映像信号の出力をイベントの開催前または開催中に限定することで、ユーザによるリクエストデータ６１１の入力時期をイベントの開催前または開催中に限定することもできる。
【００４３】
制御部６５０は、受け付けたリクエストデータ６１１を、通信部６２０を介してウェブサーバ装置５００に送信する。制御部６５０は、例えば、リクエストデータ６１１に対する結果を、通信部６２０を介してウェブサーバ装置５００から受信する。リクエストデータ６１１に対する結果は、例えば、ウェブサーバ装置５００によって選択された１または複数の写真データ２１０についての情報、または、ウェブサーバ装置５００によって選択された１または複数の写真データ２１０である。「１または複数の写真データ２１０についての情報」は、例えば、写真データ２１０の撮影場所、写真データ２１０に写り込んでいる被写体、写真データ２１０を撮影した時の状況などである。「写真データ２１０を撮影した時の状況」とは、例えば、写真データ２１０を撮影した時に流れていた曲の名前またはその曲の曲番などである。
【００４４】
制御部６５０は、例えば、受信した結果を映像信号に変換し、それにより得られた映像信号を表示部６４０に出力する。表示部６４０は、制御部６５０から入力された映像信号に基づいて、受信した結果を表示する。受信した結果は、例えば、ウェブサーバ装置５００によって選択された１または複数の写真データ２１０についての情報、または、ウェブサーバ装置５００によって選択された１または複数の写真データ２１０である。制御部６５０は、例えば、受信した結果に基づいてユーザによって選択された少なくとも１つの写真データ２１０についての情報を、通信部６２０を介してウェブサーバ装置５００に送信する。
【００４５】
[動作]
次に、本実施の形態に係るリクエスト処理システム１の処理手順について説明する。図１３は、リクエスト処理システム１の処理手順の一例を表したものである。
【００４６】
ユーザは、端末装置６００を用いて、特定のイベントの写真プリントもしくは写真データまたはグッズの注文を行う。具体的には、まず、ユーザは、特定のイベントの写真プリントもしくは写真データまたはグッズの注文を行うためのユーザインターフェース（受付部６３０）の起動を端末装置６００に指示する。すると、端末装置６００（制御部６５０）は、ウェブサーバ装置５００から取得したアプリケーションをウェブブラウザプログラム６１２で処理する。これにより、端末装置６００（制御部６５０）は、特定のイベントの写真プリントもしくは写真データまたはグッズの注文を行うためのユーザインターフェース（受付部６３０）を表示部６４０の表示面に表示させる。端末装置６００（受付部６３０）は、ユーザに対して、特定のイベントに対するリクエストデータ６１１の入力を促す。ユーザが受付部６３０にリクエストデータ６１１を入力すると、端末装置６００（受付部６３０）は、ユーザからのリクエストデータ６１１を受け付ける（ステップＳ１０１）。このとき、リクエストデータ６１１は、端末装置６００（受付部６３０）にとって、注文としての側面を有している。続いて、端末装置６００（受付部６３０）は、受け付けたリクエストデータ６１１を、通信部６２０を介してウェブサーバ装置５００に送信する（ステップＳ１０２）。
【００４７】
その後、ウェブサーバ装置５００（制御部５３０）は、リクエストデータ６１１を、通信部５２０を介して受信する。次に、ウェブサーバ装置５００（制御部５３０）は、受信したリクエストデータ６１１を、通信部５２０を介してデータサーバ装置３００に送信する（ステップＳ１０３）。データサーバ装置３００（制御部３３０）は、リクエストデータ６１１を、通信部３２０を介して受信し、記憶部３１０のデータベース３１４に格納する。ウェブサーバ装置５００（制御部５３０）は、さらに、例えば、リクエストデータ６１１を受け付けた後の所定のタイミングに、データサーバ装置３００（記憶部３１０）から、データリスト３１１，３１２，３１３を読み出す（ステップＳ１０４）。
【００４８】
次に、ウェブサーバ装置５００（制御部５３０）は、イベントの開催前または開催中に受け付けたリクエストデータ６１１と、イベントの開催中の撮影により得られた複数の写真データ２１０に関するデータリスト３１１，３１２，３１３との対比を行う。ウェブサーバ装置５００（制御部５３０）は、例えば、リクエストデータ６１１に含まれる情報（例えば、撮影場所、被写体、曲番、曲名など）と、データリスト３１１に含まれる各ファイル名と関連付けられた情報（例えば、撮影場所、被写体、曲番、曲名など）とを対比する（ステップＳ１０５）。ウェブサーバ装置５００（制御部５３０）は、対比が行われることにより見つけられた、リクエストデータ６１１に合致する１または複数の写真データ２１０を、イベントの開催中の撮影により得られた複数の写真データ２１０の中から選択する（ステップＳ１０６）。ウェブサーバ装置５００（制御部５３０）は、例えば、対比が行われることにより見つけられた、リクエストデータ６１１に合致する１または複数の写真データ２１０を、データサーバ装置３００の記憶部３１０から読み出すことにより、リクエストデータ６１１に合致する１または複数の写真データ２１０の選択を行う。
【００４９】
ウェブサーバ装置５００（制御部５３０）は、選択した１または複数の写真データ２１０、または、選択した１または複数の写真データ２１０についての情報２１０Ａを、通信部５２０を介して端末装置６００に送信する（ステップＳ１０７）。このとき、ウェブサーバ装置５００（制御部５３０）は、例えば、選択した１または複数の写真データ２１０に対して解像度を大幅に低下させたもの、または、選択した１または複数の写真データ２１０に対して「ＳＡＭＰＬＥ」などの透かし文字を重畳させたものを端末装置６００に送信してもよい。端末装置６００（制御部６５０）は、ウェブサーバ装置５００によって選択された１または複数の写真データ２１０、または、ウェブサーバ装置５００によって選択された１または複数の写真データ２１０についての情報２１０Ａをウェブサーバ装置５００から受信する。端末装置６００（制御部６５０）は、ウェブサーバ装置５００から受信した１または複数の写真データ２１０または情報２１０Ａを映像信号に変換し、それにより得られた映像信号を表示部６４０に出力する。表示部６４０は、制御部６５０から入力された映像信号に基づいて、１または複数の写真データ２１０または情報２１０Ａを表示する（ステップＳ１０８）。
【００５０】
ウェブサーバ装置５００（制御部５３０）は、選択した１または複数の写真データ２１０の印刷を印刷装置４００に指示する。具体的には、ウェブサーバ装置５００（制御部５３０）は、選択した１または複数の写真データ２１０を印刷データに変換し、変換により得られた印刷データを、通信部５２０を介して印刷装置４００に出力する（ステップＳ１０９）。最後に、印刷装置４００は、入力された印刷データに基づいて、印刷処理を行う（ステップＳ１１０）。これにより、選択された写真データ２１０が印刷された、写真プリントまたはグッズが製作される。
【００５１】
[効果]
次に、本実施の形態に係るリクエスト処理システム１の効果について説明する。
【００５２】
ライブ会場やアミューズメントパークなどのイベント会場では、来場者は、来場の思い出として写真プリントやグッズを買うことがある。イベント会場で撮影されたオリジナリティ溢れる写真のプリントやそのような写真が印刷されたグッズを手に入れることができれば、来場者は、イベントでのドキドキ感や楽しい思い出を、写真プリントやグッズに残すことができる。
【００５３】
しかし、イベント会場では、あらかじめ決められた場所で撮影された写真プリントしか手に入らなかったり、来場者が望む場所やシチュエーションで、イベント会場内のフォトクルーに出会うことが難しかったりする。そのため、来場者が、本当に欲しいと思う写真のプリントもしくはデータや、そのような写真が印刷されたグッズを手に入れることは容易ではない。
【００５４】
一方、本実施の形態に係るリクエスト処理システム１では、イベントの開催中の撮影により得られた複数の写真データ２１０の中から、イベントの開催前または開催中に受け付けたリクエストデータ６１１に合致する１または複数の写真データ２１０が選択される。これにより、リクエストデータ６１１に応じた所望の写真データ２１０を得ることが可能となる。その結果、ユーザ（来場者）が、本当に欲しいと思う写真や、そのような写真が印刷されたグッズを容易に手に入れることが可能になる。
【００５５】
また、本実施の形態に係るリクエスト処理システム１では、イベントの開催中の撮影により得られる予定の１または複数の写真データ２１０に関するリクエストデータ６１１が、イベントの開催前または開催中に受け付けら、ウェブサーバ装置５００に送信される。これにより、リクエストデータ６１１に応じた所望の写真データを得ることが可能となる。
【００５６】
また、本実施の形態に係るリクエスト処理システム１では、イベントの開催前または開催中に受け付けたリクエストデータ６１１と、イベントの開催中の撮影により得られた複数の写真データ２１０に関するデータリスト３１１，３１２，３１３との対比が行われる。ここで、データリスト３１１は、写真データ２１０には通常備わっている情報で構成されており、データリスト３１２，３１３から、写真データ２１０に通常備わっている情報に対応する情報（例えば、撮影場所、被写体、曲番、曲名）が得られる。これにより、簡単な演算処理を行うだけで、リクエストデータ６１１に応じた所望の写真データを得ることが可能となる。
【００５７】
また、本実施の形態に係るリクエスト処理システム１では、リクエストデータ６１１に合致する１または複数の写真データ２１０が、ウェブサーバ装置５００によってデータサーバ装置３００の記憶部３１０から読み出される。これにより、リクエストデータ６１１に合致する１または複数の写真データ２１０の選択が行われるので、リクエストデータ６１１に応じた所望の写真データ２１０を得ることが可能となる。その結果、ユーザ（来場者）が本当に欲しいと思う写真や、そのような写真が印刷されたグッズを容易に手に入れることが可能になる。
【００５８】
また、本実施の形態に係るリクエスト処理システム１では、ウェブサーバ装置５００によって選択された１または複数の写真データ２１０の印刷がウェブサーバ装置５００によって印刷装置４００に指示される。これにより、ユーザ（来場者）が本当に欲しいと思う写真や、そのような写真が印刷されたグッズを製作することができる。
【００５９】
また、本実施の形態に係るリクエスト処理システム１では、ウェブサーバ装置５００によって選択された１または複数の写真データ２１０が端末装置６００で受信される。これにより、端末装置６００において、ウェブサーバ装置５００によって選択された１または複数の写真データ２１０を表示することができるので、ユーザ（来場者）は、受け取る予定の写真、または受け取る予定のグッズに印刷される写真を端末装置６００で確認することができる。
【００６０】
また、本実施の形態に係るリクエスト処理システム１では、ウェブサーバ装置５００によって選択された１または複数の写真データ２１０についての情報２１０Ａが端末装置６００で受信される。これにより、端末装置６００において、ウェブサーバ装置５００によって選択された１または複数の写真データ２１０についての情報２１０Ａを表示することができるので、ユーザ（来場者）は、受け取る予定の写真についての情報、または受け取る予定のグッズに印刷される写真についての情報を端末装置６００で確認することができる。
【００６１】
＜２．第１の実施の形態の変形例＞
次に、上記実施の形態に係るリクエスト処理システム１の変形例について説明する。なお、以下では、上記実施の形態と共通する構成要素に対しては、同一の符号が付与される。さらに、上記実施の形態と共通する構成要素についての説明は、適宜、省略されるものとする。
【００６２】
図１４は、リクエスト処理システム１の処理手順の一変形例を表したものである。図１４では、図１３に記載の処理手順に、図１４に記載のステップＳ１１１〜Ｓ１１３が追加され、さらに、図１３に記載のステップＳ１０９，Ｓ１１０が省略されている。以下では、ステップＳ１１１以降の手順について説明する。本変形例では、リクエスト処理システム１は、クエストデータ６１１に合致する１または複数の写真データ２１０を用いて印刷する前にユーザに印刷の要否を確認させる。
【００６３】
端末装置６００（制御部６５０）は、ステップ１０８において、１または複数の写真データ２１０、または１または複数の写真データ２１０についての情報２１０Ａを表示している時に、１または複数の写真データ２１０の発注（選択）を促す。このとき、ユーザが、表示されている１または複数の写真データ２１０、または表示されている１または複数の写真データ２１０についての情報２１０Ａに基づいて、少なくとも１つの写真データ２１０について発注（選択）をしたとする。このとき、端末装置６００（通信部６２０）は、ユーザによって発注（選択）された１または複数の写真データ２１０についての発注情報（選択情報）をウェブサーバ装置５００に送信する（ステップＳ１１１）。
【００６４】
ウェブサーバ装置５００（制御部５３０）は、入力された発注情報（選択情報）に対応する１または複数の写真データ２１０の印刷を印刷装置４００に指示する。具体的には、ウェブサーバ装置５００（制御部５３０）は、入力された発注情報（選択情報）に対応する１または複数の写真データ２１０を印刷データに変換し、変換により得られた印刷データを、通信部５２０を介して印刷装置４００に出力する（ステップＳ１１２）。最後に、印刷装置４００は、入力された印刷データに基づいて、印刷処理を行う（ステップＳ１１３）。これにより、選択された写真データ２１０が印刷された、写真プリントまたはグッズが製作される。
【００６５】
本変形例では、ユーザによって発注（選択）された１または複数の写真データ２１０についての発注情報（選択情報）がウェブサーバ装置５００に送信される。これにより、リクエストデータ６１１に合致する１または複数の写真データ２１０の中から、ユーザ（来場者）が本当に欲しいと思う写真が選択される。その結果、ユーザ（来場者）が本当に欲しいと思う写真や、そのような写真が印刷されたグッズを確実に手に入れることが可能になる。
【００６６】
＜３．第２の実施の形態＞
次に、本開示の第２の実施の形態に係るリクエスト処理システム２について説明する。
【００６７】
[構成]
図１５は、本実施の形態に係るリクエスト処理システム２の概略構成例を表したものである。リクエスト処理システム２は、イベントの開催前または開催中にユーザからリクエストを受け付け、受け付けたリクエストの内容に合致する写真データをユーザの端末に送信するシステムである。リクエスト処理システム２は、リクエスト処理システム１において、印刷装置４００が省略されたシステムに相当する。
【００６８】
[動作]
本実施の形態に係るリクエスト処理システム２の処理手順について説明する。図１６は、リクエスト処理システム１の処理手順の一例を表したものである。
【００６９】
ユーザは、端末装置６００を用いて、特定のイベントの写真データの注文を行う。具体的には、まず、ユーザは、特定のイベントの写真データの注文を行うためのユーザインターフェース（受付部６３０）の起動を端末装置６００に指示する。すると、端末装置６００（制御部６５０）は、ウェブサーバ装置５００から取得したアプリケーションをウェブブラウザプログラム６１２で処理する。これにより、端末装置６００（制御部６５０）は、特定のイベントの写真データの注文を行うためのユーザインターフェース（受付部６３０）を表示部６４０の表示面に表示させる。端末装置６００（受付部６３０）は、ユーザに対して、特定のイベントに対するリクエストデータ６１１の入力を促す。ユーザが受付部６３０にリクエストデータ６１１を入力すると、端末装置６００（受付部６３０）は、ユーザからのリクエストデータ６１１を受け付ける（ステップＳ１０１）。このとき、リクエストデータ６１１は、端末装置６００（受付部６３０）にとって、注文としての側面を有している。続いて、端末装置６００（受付部６３０）は、受け付けたリクエストデータ６１１を、通信部６２０を介してウェブサーバ装置５００に送信する（ステップＳ１０２）。
【００７０】
その後のウェブサーバ装置５００（制御部５３０）およびデータサーバ装置３００（制御部３３０）での処理（ステップＳ１０３〜Ｓ１０６）は、上記実施の形態での処理（ステップＳ１０３〜Ｓ１０６）と同様である。
【００７１】
ウェブサーバ装置５００（制御部５３０）は、選択した１または複数の写真データ２１０を、通信部５２０を介して端末装置６００に送信する（ステップＳ１０７）。端末装置６００（制御部６５０）は、ウェブサーバ装置５００によって選択された１または複数の写真データ２１０をウェブサーバ装置５００から受信する。端末装置６００（制御部６５０）は、ウェブサーバ装置５００から受信した１または複数の写真データ２１０を映像信号に変換し、それにより得られた映像信号を表示部６４０に出力する。表示部６４０は、制御部６５０から入力された映像信号に基づいて、１または複数の写真データ２１０または情報２１０Ａを表示する（ステップＳ１０８）。
【００７２】
[効果]
本実施の形態に係るリクエスト処理システム２では、イベントの開催中の撮影により得られた複数の写真データ２１０の中から、イベントの開催前または開催中に受け付けたリクエストデータ６１１に合致する１または複数の写真データ２１０が選択される。これにより、リクエストデータ６１１に応じた所望の写真データ２１０を得ることが可能となる。その結果、ユーザ（来場者）が、本当に欲しいと思う写真のデータを容易に手に入れることが可能になる。また、本実施の形態に係るリクエスト処理システム２では、上記実施の形態に係るリクエスト処理システム１の効果と同様の効果を得ることができる。
【００７３】
また、本実施の形態に係るリクエスト処理システム２では、ウェブサーバ装置５００によって選択された１または複数の写真データ２１０が端末装置６００で受信される。これにより、ユーザは、ウェブサーバ装置５００によって選択された１または複数の写真データ２１０を得ることができる。その結果、ユーザ（来場者）が、本当に欲しいと思う写真のデータを容易に手に入れることが可能になる。
【００７４】
＜４．第２の実施の形態の変形例＞
次に、上記第２の実施の形態に係るリクエスト処理システム２の変形例について説明する。以下では、上記第２実施の形態と共通する構成要素に対しては、同一の符号が付与される。さらに、上記第２実施の形態と共通する構成要素についての説明は、適宜、省略されるものとする。
【００７５】
図１７は、リクエスト処理システム２の処理手順の一変形例を表したものである。図１７では、図１６に記載の処理手順に、図１７に記載のステップＳ１１１が追加されている。以下では、ステップＳ１１１の手順について説明する。本変形例では、リクエスト処理システム２は、ウェブサーバ装置５００から受信した１または複数の写真データ２１０の中から、ユーザが必要と思う１または複数の写真データ２１０を選択させる。
【００７６】
本変形例では、ウェブサーバ装置５００（制御部５３０）は、選択した１または複数の写真データ２１０に対して解像度を大幅に低下させたもの、または、選択した１または複数の写真データ２１０に対して「ＳＡＭＰＬＥ」などの透かし文字を重畳させたものを端末装置６００に送信する（ステップＳ１０７）。以下では、ウェブサーバ装置５００（制御部５３０）が端末装置６００に送信した１または複数の写真データ２１０を、「１または複数の写真データ２１０’」と称する。
【００７７】
端末装置６００（制御部６５０）は、ステップ１０８において、１または複数の写真データ２１０’を表示している時に、１または複数の写真データ２１０の発注（選択）を促す。このとき、ユーザが、表示されている１または複数の写真データ２１０’に基づいて、少なくとも１つの写真データ２１０について発注（選択）をしたとする。このとき、端末装置６００（通信部６２０）は、ユーザによって発注（選択）された１または複数の写真データ２１０についての発注情報（選択情報）をウェブサーバ装置５００に送信する（ステップＳ１１１）。ウェブサーバ装置５００（制御部５３０）は、入力された発注情報（選択情報）に対応する１または複数の写真データ２１０を端末装置６００に送信する（ステップＳ１１４）。これにより、ユーザが選択した１または複数の写真データ２１０が得られる。
【００７８】
本変形例では、ユーザによって発注（選択）された１または複数の写真データ２１０についての発注情報（選択情報）がウェブサーバ装置５００に送信される。これにより、リクエストデータ６１１に合致する１または複数の写真データ２１０の中から、ユーザ（来場者）が本当に欲しいと思う写真が選択される。その結果、ユーザ（来場者）が本当に欲しいと思う写真や、そのような写真が印刷されたグッズを確実に手に入れることが可能になる。
【００７９】
＜５．上記の各実施の形態およびそれらの変形例に共通する変形例＞
上記の各実施の形態およびそれらの変形例において、例えば、図１８、図１９に示したように、撮像装置２００が省略されていてもよい。ただし、この場合には、端末装置６００は、例えば、図２０に示したように、撮像装置２００に相当する撮像部６６０を有している。このように、撮像装置２００に相当する撮像部６６０が端末装置６００に設けられている場合には、ユーザ自身が、撮像部６６０を用いて複数の写真データ２１０を取得することになる。本変形例では、上記の各実施の形態およびそれらの変形例と同様の効果が得られる。
【００８０】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００８１】
また、例えば、本開示は以下のような構成を取ることができる。
（１）
イベントの開催中の撮影により得られた複数の写真データの中から、前記イベントの開催前または開催中に受け付けたリクエストに合致する１または複数の前記写真データを選択する選択部と、
前記選択部によって選択された１または複数の前記写真データを出力する出力部と
を備えた
リクエスト処理装置。
（２）
前記イベントの開催前または開催中に受け付けたリクエストと、前記イベントの開催中の撮影により得られた複数の前記写真データに関するデータリストとの対比を行う対比部をさらに備え、
前記選択部は、前記対比部での前記対比が行われることにより見つけられた、前記リクエストに合致する１または複数の前記写真データを、前記イベントの開催中の撮影により得られた複数の写真データの中から選択する
（１）に記載のリクエスト処理装置。
（３）
前記選択部は、前記リクエストに合致する１または複数の前記写真データを、前記イベントの開催中の撮影により得られた複数の前記写真データを記憶する記憶部から読み出すことにより、前記リクエストに合致する１または複数の前記写真データの選択を行う
（２）に記載のリクエスト処理装置。
（４）
前記出力部は、前記選択部によって選択された１または複数の前記写真データの印刷を指示する
（１）ないし（３）のいずれか一項に記載のリクエスト処理装置。
（５）
イベントの開催中の撮影により得られる予定の１または複数の写真データに関するリクエストを、前記イベントの開催前または開催中に受け付ける受付部と、
前記イベントの開催中の撮影により得られた複数の前記写真データの中から、前記受付部で受け付けた前記リクエストに合致する１または複数の前記写真データを選択する外部機器に、前記受付部で受け付けた前記リクエストを送信する送信部と
を備えた
リクエスト受付装置。
（６）
前記外部機器によって選択された１または複数の前記写真データを受信する受信部をさらに備えた
（５）に記載のリクエスト受付装置。
（７）
前記外部機器によって選択された１または複数の前記写真データについての情報を受信する受信部をさらに備えた
（５）に記載のリクエスト受付装置。
（８）
前記送信部は、前記受信部で受信した１または複数の前記写真データに基づいて選択された少なくとも１つの前記写真データについての情報を前記外部機器に送信する
（６）に記載のリクエスト受付装置。
（９）
前記送信部は、前記受信部で受信した１または複数の前記写真データについての前記情報に基づいて選択された少なくとも１つの前記写真データについての情報を前記外部機器に送信する
（７）に記載のリクエスト受付装置。
【００８２】
本出願は、日本国特許庁において２０１６年１１月７日に出願された日本特許出願番号第２０１６−２１７３５５号を基礎として優先権を主張するものであり、この出願のすべての内容を参照によって本出願に援用する。
【００８３】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018083871.tif 000003
【図２】
2018083871.tif 000004
【図３】
2018083871.tif 000005
【図４】
2018083871.tif 000006
【図５】
2018083871.tif 000007
【図６】
2018083871.tif 000008
【図７】
2018083871.tif 000009
【図８】
2018083871.tif 000010
【図９】
2018083871.tif 000011
【図１０】
2018083871.tif 000012
【図１１】
2018083871.tif 000013
【図１２】
2018083871.tif 000014
【図１３】
2018083871.tif 000015
【図１４】
2018083871.tif 000016
【図１５】
2018083871.tif 000017
【図１６】
2018083871.tif 000018
【図１７】
2018083871.tif 000019
【図１８】
2018083871.tif 000020
【図１９】
2018083871.tif 000021
【図２０】
2018083871.tif 000022
【国際調査報告】
2018083871.tif 000023
2018083871.tif 000024
2018083871.tif 000025
2018083871.tif 000026